(57)【特許請求の範囲】
【請求項１】
概略鉛直な壁面に取付けられ、一定の指向方向を有する発光素子からの出射光によるリモコン信号を被制御機器側の受信部に送信する壁掛け式のリモコン装置であって、
前記発光素子が接続される基板が、上方側ほど前記壁面に近接してゆくような第１の傾斜角θ１を有して配置され、
前記発光素子を、主たる指向方向が、前記基板の主面に対して第２の傾斜角θ２を有することにより前記壁面の上方を向くように位置規制する位置規制部が設けられ、
前記基板は、前記発光素子本体部の先端側が、前記発光素子のリード線が接続されている前記基板の裏面側から前記基板の表面側に、前記基板の主面に対して前記第２の傾斜角θ２を有して突出することを許容する切欠部が形成され、
前記発光素子本体部との間に前記第２の傾斜角θ２をなす前記基板の主面上の領域であって前記リモコン装置の外殻をなすケースのリモコン信号投射用透過窓の裏側に対応する領域に前記発光素子からの出射光を反射する反射部材を設けているリモコン装置。
【請求項２】
前記位置規制部は、前記リモコン装置の操作面側のケース内面に突設された突出部を含む請求項１に記載のリモコン装置。
【請求項３】
前記基板は前記発光素子からの出射光を反射するシルク印刷が施されている請求項１又は２に記載のリモコン装置。

【発明の詳細な説明】
【技術分野】
【０００１】
本発明は、リモコン装置に関し、特に、一定の指向方向を有する発光素子が接続される基板が壁面に対して傾斜角を有して配置され、前記発光素子からの出射光によるリモコン信号を被制御機器側の受信部に送信する壁掛け式のリモコン装置に関する。
【背景技術】
【０００２】
従来、赤外発光ＬＥＤなどの発光素子よる信号光を被制御機器の受光部に投射するリモコン装置においては、発光素子を位置規制するために種々の構成が採られてきた。
この例として、発光素子を、基板に特設したブッシュを用いて基板に平行に位置規制する構成のものがある。（例えば、特許文献１参照）。
【先行技術文献】
【特許文献】
【０００３】
【特許文献１】特開２００７−２６６９９５号公報
【発明の概要】
【発明が解決しようとする課題】
【０００４】
上述の従来例では、基板に平行に固定された発光素子の指向方向を被制御機器（その信号光受光部）に向けるには、これをユーザの操作に委ねるものである。即ち、設計の当初から、ユーザが発光素子の指向方向を被制御機器の信号光受光部に向けるような使用方法を前提としている。このため、壁掛け式のリモコン装置のように、リモコン装置と被制御機器との相対位置が固定的であるような場合には必ずしも適合し得ない。
【０００５】
本発明は、上述のような従来の問題に鑑みてなされたものであり、リモコン装置と被制御機器との相対位置が固定的であるような壁掛け式の形態によく適合するリモコン装置を提供することを目的とする。
【課題を解決するための手段】
【０００６】
上記目的を達成するべく、ここに、次のような技術を提案する。
【０００７】
壁面（例えば、後述する壁面３）に取付けられ、一定の指向方向を有する発光素子（例えば、後述する赤外発光ＬＥＤ１１２、１１３）からの出射光によるリモコン信号を被制御機器側の受信部に送信する壁掛け式のリモコン装置であって、
前記発光素子が接続される基板が上方側ほど前記壁面に近接してゆくような傾斜角（例えば、後述する傾斜角θ１）を有して配置され、
前記発光素子を、主たる指向方向が、前記基板の主面（例えば、後述する主面１０１）に対して傾斜角（例えば、後述する傾斜角θ２）を有するように位置規制する位置規制部（例えば、後述するリブ状部１５、１５）が設けられているリモコン装置。
【０００８】
上記において、前記基板は、前記発光素子のリード線（例えば、後述するリード線１１３ａ、１１３ｂ）が接続されている前記基板の裏面側から前記発光素子の本体部（例えば、後述する本体部１１３ｍ）が前記基板の表面側に前記傾斜角を有して突出することを許容する切欠部（例えば、後述する切欠き部１０３）が形成されていることは好ましい。
【０００９】
また、上記において、前記位置規制部は、前記基板と前記リモコン装置の操作面側のケースとの各所定部とを含む部位により前記発光素子を位置規制するように構成されていることは好ましい。
【００１０】
また、前記位置規制部は、前記リモコン装置の操作面側のケース内面に突設された突出部（例えば、後述するリブ状部１５、１５）であるように構成されていることは好ましい。
【００１１】
また、上記において、前記基板の主面に対して接近する向きに前記発光素子が傾斜している側に前記発光素子からの出射光を反射する反射部材を設けることは好ましい。
【００１２】
また、上記において、前記基板は前記発光素子からの出射光を反射するシルク印刷（例えば、後述するシルク印刷１５０）が施されていることは好ましい。
【発明の効果】
【００１３】
本発明によれば、リモコン装置と被制御機器との相対位置が固定的であるような壁掛け式の形態によく適合するリモコン装置が具現される。
【図面の簡単な説明】
【００１４】
【図１】本発明のリモコン装置を設置したトイレルームを示す図である。
【図２】本発明のリモコン装置の正面図である。
【図３】本発明のリモコン装置の基板を示す略図である。
【図４】本発明のリモコン装置における発光素子の位置規制部を示す要部右側面図である。
【図５】図４の位置規制部に近接した基板側を発光素子との関係において示す図である。
【図６】図４の位置規制部が形成されたケース側を示す図である。
【図７】本発明のリモコン装置に適用する発光素子の指向性を示す図である。
【発明を実施するための形態】
【００１５】
以下、本発明の実施形態について詳述することにより本発明を明らかにする。
図１は、本発明のリモコン装置を設置したトイレルームを示す図である。
図１におけるリモコン装置１０はトイレルーム１に配置された被制御機器としての洋風便器装置２の側方（本例では洋風便器装置２に着座した使用者の右側方）の壁面３に取付けられている。即ち、リモコン装置１０は壁掛け式のリモコン装置である。
リモコン装置１０は、その外殻をなすケースのうち、正面側の操作面部１１に操作受付ボタンが配されている。
操作面部１１の左右の各端部近傍に、赤外線によるリモコン信号を投射するための透過窓１２及び１３が設けられている。透過窓１２及び１３は、目視では、例えば、黒色の不透明な窓であるが、赤外域の波長を有するリモコン信号をよく透過させる赤外線透過材料よりなる。
本例のリモコン装置１０では特に、その操作面部１１が、上方側ほど鉛直に立つ壁面３に近接してゆくような傾斜を有している。即ち、操作面部１１は、壁面３に対して角度θ１の傾斜角を有する。
【００１６】
透過窓１２及び１３を通して投射されるリモコン信号は主たる指向方向が概略鉛直な壁面３に沿う上向きとなるように設定されており、トイレルーム１の天井（不図示）で反射して、洋風便器装置２側に設けられた信号受信部をなす受光窓２１を通してその内部の受光素子により受光（受信）される。
即ち、リモコン装置１０への操作に応じて、赤外発光ＬＥＤなどである発光素子から、洋風便器装置２側に設けられた受光窓２１を通し上述の受光素子へ、既定のコードに変調されたリモコン信号が送られる。
尚、図示の例では、受光窓２１は洋風便器装置２のロータンクカバー２２の上部に１箇所設けられているが、洋風便器装置２側の適所に複数設けられてもよい。
【００１７】
図２は、本発明のリモコン装置の正面図である。
リモコン装置１０の正面側は、図示のとおり、略全面的に概略横長の長方形をなす操作面部１１である。操作面部１１はリモコン装置１０の外殻を成すケースのうち主として正面側を構成する部分である。
既述のように、操作面部１１は壁面３に対して角度θ１の傾斜角を有する。即ち、図２の正面視では、操作面部１１はその上方ほど背面側（図１の壁面３側）に倒れた形態をなしている。
図示のように、操作面部１１の左右の各端部近傍上方に臨む部位に、図１を参照して既述の、透過窓１２及び１３が設けられている。赤外線透過材料よりなる透過窓１２及び１３を通して投射される赤外域の波長を有するリモコン信号は、その主たる指向方向が概略鉛直な壁面３に沿う上向きに設定されていることから、図２では上側、即ち、概ね天井（不図示）に向かう方向にリモコン信号が投射される。
操作面部１１に配された操作スイッチは、例えば、肛門洗浄、ビデ洗浄、温水噴出量調節、停止等々の、各所定の機能に係る操作を行うためのものである。
【００１８】
図３は、本発明のリモコン装置の基板を正面視した様子を示す略図である。
基板１００は、図２を参照して説明したリモコン装置１０のケースの正面部分を構成する操作面部１１の背後に近接して、この操作面部１１と略平行に設けられる。
従って、基板１００も操作面部１１における既述の傾斜（上方側ほど壁面３に近接してゆくような傾斜）に沿って傾斜している。即ち、基板１００も操作面部１１と同様に、壁面３に対して角度θ１の傾斜角を有する。
【００１９】
この基板１００の左右の各端部近傍上方に臨む部位に一定の指向方向を有する発光素子としての赤外発光ＬＥＤ１１２及び１１３が取付けられている。
赤外発光ＬＥＤ１１２は、そのリード線１１２ａ及び１１２ｂが基板１００裏面のランド部に半田付けされて基板１００に取付けられる。
赤外発光ＬＥＤ１１３も、上述同様に、そのリード線１１３ａ及び１１３ｂが基板１００裏面のランド部に半田付けされて基板１００に取付けられる。
【００２０】
詳細には、基板１００の左端部近傍上方には、赤外発光ＬＥＤ１１２をその主たる指向方向が基板１００の主面１０１に対して傾斜角θ２をなすように取付けるための、概略矩形の切欠き部１０２が形成されている。
切欠き部１０２は、基板１００の裏面側から赤外発光ＬＥＤ１１２の本体部が基板の表面側に傾斜角θ２を有して突出することを許容する。
同様に、基板１００の右端部近傍上方には、赤外発光ＬＥＤ１１３をその主たる指向方向が基板１００の主面１０１に対して傾斜角θ２をなすように取付けるための、概略矩形の切欠き部１０３が形成されている。
切欠き部１０３も切欠き部１０２におけると同様に、基板１００の裏面側から赤外発光ＬＥＤ１１３の本体部が基板の表面側に傾斜角θ２を有して突出することを許容する。
上述のθ２は既述のθ１と概略等しくなるように設定されるが、これについては図４を参照して後述する。
結果的に、赤外発光ＬＥＤ１１２及び１１３は、壁面３に対して角度θ１傾斜した基板１００に取付けられているにも関わらず、それらの主たる指向方向が概略鉛直な壁面３に沿う上向きになっている。
尚、上述における壁面３に沿う上向きとは、直上よりも若干内側の向きを含み得る意であり、本実施形態においても、直上よりも若干内側の向きに設定される。
【００２１】
図４は、本発明のリモコン装置における発光素子の位置規制部を示す要部右側面図である。
具体的には、リモコン装置１０における右側の発光素子である赤外発光ＬＥＤ１１３を位置規制する位置規制部を示している。既述の左側の発光素子である赤外発光ＬＥＤ１１２についても位置規制部自体は略同様であるため、位置規制部は代表的に赤外発光ＬＥＤ１１３について詳述する。
【００２２】
赤外発光ＬＥＤ１１３は、そのリード線１１３ａ（１１３ｂ）が基板１００裏面のランド部１２３で半田付けされて、この部位で半田付け部１３３が形成されている。
赤外発光ＬＥＤ１１３は、上述のようにリード線１１３ａ、１１３ｂが基板１００裏面のランド部１２３に半田付けされ、その先端側の発光部１１３ｅを含む楕円柱状乃至円柱状の本体部１１３ｍが基板１００の切欠き部１０３から基板１００の表面側に突出した位置で位置規制される。
【００２３】
即ち、本実施形態では、赤外発光ＬＥＤ１１３は、その本体部１１３ｍが、リモコン装置１０のケースである操作面部１１の裏面に形成されたリブ状部１５と、基板１００における切欠き部１０３の上縁（本体部１１３ｍが傾斜して表面側に突出した部位に臨む縁部）近傍領域とによって囲まれるようにして位置規制される。即ち、当該近傍領域が基板側の位置規制部をなしている。
詳細には、赤外発光ＬＥＤ１１３の本体部１１３ｍが、操作面部１１の裏面に形成されたリブ状部１５、１５の縁部に設定された左右のケース側位置規制部１５ａによって左右方向に位置規制され、且つ、基板１００の半田付け部１３３によってリード線１１３ａ、１１３ｂが延びる方向に位置規制される。この部分の構造については、後に図６を参照して更に詳述する。
【００２４】
上述のように、赤外発光ＬＥＤ１１３は、その本体部１１３ｍにおいて、ケース側位置規制部１５ａによって位置規制されるが、更に、リード線１１３ａ、１１３ｂが基板１００裏面のランド部１２３に半田付けされている。このため、上述のように位置規制された姿勢でケース側位置規制部１５ａとの相対位置のずれが規制される。
従って、赤外発光ＬＥＤ１１３は、組み付け時に位置ずれを生じ難い。また、一旦組み付けられた後に振動や衝撃を受けても、赤外発光ＬＥＤ１１３はその姿勢や位置が維持され、従って、その主たる指向方向に狂いを生じ難い。
上述のように、赤外発光ＬＥＤ１１３は、その位置と姿勢とが確実に維持される。この位置及び姿勢において、赤外発光ＬＥＤ１１３の本体部１１３ｍにおける先端側の発光部１１３ｅが、リモコン装置１０のケースである操作面部１１の透過窓１３に臨んだ状態を維持する。
【００２５】
赤外発光ＬＥＤ１１３は、上述のように固定される結果、その主たる指向方向が基板１００の主面１０１に対し傾斜角θ２を維持する。
一方、基板１００自体は、その主面１０１が概略鉛直な壁面３の方向に対し傾斜角θ１を有している。
この場合、傾斜角θ２が概略傾斜角θ１と等しく且つ壁面３の方向に対する傾きの方向が逆の関係になるように赤外発光ＬＥＤ１１３が固定される。この結果、赤外発光ＬＥＤ１１３は、その主たる指向方向が概略鉛直な壁面３に沿う上向きになる。
更に、上述の構造では、発光素子としての赤外発光ＬＥＤ１１３（その主たる指向方向）に関する傾斜角の設定が容易で、且つ、その傾斜角が、振動や衝撃を受けても強固に維持される。
【００２６】
従って、トイレルーム１内でリモコン装置１０が壁面３に取付けられる所謂壁掛け式のリモコン装置１０であり、リモコン装置１０と被制御機器としての洋風便器装置２との相対位置が固定的であるような場合によく適合する。
上述のように、赤外発光ＬＥＤ１１３からの出射光の主たる指向方向が壁面３に沿う上向きになるため、リモコン信号はトイレルーム１の天井（不図示）で効果的に反射して、洋風便器装置２側に設けられた受光窓２１を通してその内部の受光素子により良好な通信品質で受光（受信）される。
【００２７】
また、本実施形態では特に、基板１００の赤外発光ＬＥＤ１１３が傾斜して先端側の発光部１１３ｅが接近している側の近接領域にシルク印刷１５０が施される。
換言すれば、上述のようにシルク印刷１５０が施される領域は、透過窓１３の裏側に対応する基板１００上の領域である。
このシルク印刷１５０は赤外発光ＬＥＤ１１３からの出射光の良好な反射体であり、赤外発光ＬＥＤ１１３から発せられた出射光のうち直接透過窓１３に向かわない光を反射させて、透過窓１３から出射させ、リモコン信号として有効な光量が確保され、良好な通信品質が維持される。
【００２８】
次に、図５及び図６を参照して、赤外発光ＬＥＤ１１３を位置規制するための構造部について更に具体的に説明する。
図５は、図４の位置規制部に近接した基板側を発光素子との関係において示す図である。
基板１００の裏面の半田付け部１３３、１３３でリード線１１３ａ、１１３ｂが固定された赤外発光ＬＥＤ１１３は、その本体部１１３ｍが基板１００の切欠き部１０３から表面側に傾斜して突出し、その姿勢で図４を参照して既述の位置規制部で位置規制される。
【００２９】
基板１００における切欠き部１０３より上方の領域にシルク印刷１５０が施される。このようにシルク印刷１５０が施された領域は、赤外発光ＬＥＤ１１３の本体部１１３ｍの先端側の発光部１１３ｅから直接透過窓１３に向かわない光を反射させて、透過窓１３から出射させる反射体である。
本実施形態では、上述のようにシルク印刷１５０が施されているため、赤外発光ＬＥＤ１１３からの出射光が無駄なく透過窓１３を通してトイレルーム１の天井（不図示）に投射され、洋風便器装置２側に設けられた受光窓２１を通してその内部の受光素子により良好な通信品質で受光（受信）される。
【００３０】
また、比較的省電力の設計で赤外発光ＬＥＤ１１３からの出射光の強度が比較的低い場合でも、シルク印刷１５０による反射よって赤外発光ＬＥＤ１１３からの出射光を無駄なく利用して通信品質を維持できるため、電源（電池）の消耗が低減されたリモコン装置１０を実現することができる。
【００３１】
更には、広いトイレルームに用いた場合においても、リモコン信号のレベルが一定値以上に確保されて、通信品質を維持できる。
更にまた、電源（電池）の残容量が低下して赤外発光ＬＥＤ１１３からの出射光の強度が弱まった場合でも、リモコン信号のレベル低下を抑えて通信品質を維持できる。
【００３２】
上記における発光素子からの出射光の反射体としてのシルク印刷１５０は、基板１００に施すことが容易であり、従来のように別途アルミテープを設ける場合に比し、コストアップが抑制される。
【００３３】
図６は、図４の位置規制部が形成されたケース側を示す図であり、特に、リモコン装置１０の外殻を成すケースのうち主として正面側を構成する部分である操作面部１１の裏面側の要部を示している。
赤外発光ＬＥＤ１１３の本体部１１３ｍ（図４、図５）が臨む位置に透過窓１３が設けられる。既述のように、透過窓１３は、目視では、例えば、黒色の不透明な窓であるが、赤外域の波長を有するリモコン信号をよく透過させる赤外線透過材料により構成される。
透過窓１３の下端の左右両側方に、内向きに突出するようにして水平板状のリブ状部１５、１５が形成されている。これらのリブ状部１５突出端側の縁部（角部）が既述のケース側位置規制部１５ａである。
尚、図示の例では、操作面部１１の裏面側の突出部であるリブ状部１５は薄板状であるが、この突出部の形状はこれに限られず、更に分厚い態様を採り得る。
【００３４】
図６を参照して容易に理解されるとおり、ケース側位置規制部１５ａは、透過窓１３の下端の左右両側方に分かれて形成されている各リブ状部１５毎に、ケース側位置規制部１５ａ１及び１５ａ２の二つが設定される。
赤外発光ＬＥＤ１１３の本体部１１３ｍは、より具体的には、図６の如く、ケース側位置規制部１５ａ１及び１５ａ２の左右二つによって確実に位置規制される。更にこれと共に、基板１００の半田付け部１３３によってリード線１１３ａ、１１３ｂが延びる方向に位置規制される。
【００３５】
図７は、本発明のリモコン装置に適用する発光素子である赤外発光ＬＥＤの指向性を示す図である。
図示のように、赤外発光ＬＥＤの主たる指向方向は、赤外発光ＬＥＤ１１３の本体部１１３ｍの先端側の発光部１１３ｅから真っ直ぐ前方側を向いている。従って、赤外発光ＬＥＤ１１３からの出射光を天井側に有効に投射するには、赤外発光ＬＥＤ１１３の先端側の発光部１１３ｅを上向き、即ち、概略鉛直な壁面３に沿う上向きに向けることが望ましい。
また、赤外発光ＬＥＤの指向方向は、上述のような主たる指向方向の周囲に一定の広がりを持つ。このように広がりを生じている発光が、既述の反射体であるシルク印刷１５０によって反射されて有効な信号光として利用され得る。従って、この点でも、本実施形態ではリモコン信号による通信品質が高水準に確保される。
【００３６】
上述の実施形態におけるリモコン装置１０では、その組立手順においても別段の配慮がなされている。即ち、まず基板１００とリモコンケースの表側（操作面１１を有するケース半体）を固定してから、リモコンケースの表側半体と裏側半体とを固定する。この手順を採ることにより、従来のようにリモコンケースの裏側半体に基板を固定（又は載置）してからケースの表側半体と裏側半体を固定していたのでは、発光素子（赤外発光ＬＥＤ１１３）がずれるおそれがあったところ、先に基板１００とリモコンケースの表側（操作面１１を有するケース半体）を固定することでずれを抑制することができる。
【００３７】
なお、本発明は上記実施形態に限定されるものではなく、本発明の目的を達成できる範囲内での変形、改良等は本発明に含まれる。
例えば、上記実施形態では、赤外発光ＬＥＤ１１３を挟持位置規制するについて、何れもリジッドな部材であるケース側位置規制部１５ａ１及び１５ａ２で位置規制したが、赤外発光ＬＥＤ１１３への当接部に多少の弾性部材を介在させて、部品の寸法誤差を吸収するようにしてもよい。
【符号の説明】
【００３８】
２…洋風便器装置
３…壁面
１０…リモコン装置
１５…リブ状部１５
１５ａ…ケース側位置規制部
１００…基板
１０２、１０３…切欠き部
１１２、１１３…赤外発光ＬＥＤ
１１３ａ、１１３ｂ…リード線
【図１】
0006587495.tif 000002
【図２】
0006587495.tif 000003
【図３】
0006587495.tif 000004
【図４】
0006587495.tif 000005
【図５】
0006587495.tif 000006
【図６】
0006587495.tif 000007
【図７】
0006587495.tif 000008